(57)【要約】【課題】釣り糸への取付け作業が迅速且つ容易に行われ、浮きのオモリ合わせに際して浮き体に対する間隔調節（目合：半目／一目）が容易に行われるだけではなく、鉛ではない環境にやさしい素材から製造されることから、重金属材質による環境汚染が全く発生しない釣り用重りを提供すること。【解決手段】中央には釣り糸に長手方向に嵌まり込むように貫通孔が形成され、ユーザーによって前記釣り糸上で変位する弾性チューブ体と、一方の側には前記釣り糸に嵌まり込むように側面スリットが形成され、中央には前記弾性チューブ体が嵌合する嵌合孔が前記側面スリットと連通するように貫設される重量体と、を備える釣り用重り。前記弾性チューブ体は、合成樹脂、ゴム、シリコン及びウレタンのうちのいずれか一種から形成され、前記重量体は、銅または銅合金から形成される。【選択図】図１
2014100089.tif 000002
【特許請求の範囲】
【請求項１】
中央には釣り糸に長手方向に嵌まり込むように貫通孔が形成され、ユーザーによって前記釣り糸上で変位する弾性チューブ体と、
一方の側には前記釣り糸に嵌まり込むように側面スリットが形成され、中央には前記弾性チューブ体が嵌合する嵌合孔が前記側面スリットと連通するように貫設される重量体と、を備える釣り用重り。
【請求項２】
前記重量体は、所要の重量に応じて選択・使用するように異なる重量を有するものが多数設けられることを特徴とする請求項１に記載の釣り用重り。
【請求項３】
前記弾性チューブ体の下側外周面には、前記重量体の下降を防ぐ環状突起が突設されることを特徴とする請求項１に記載の釣り用重り。
【請求項４】
前記重量体は、単一の部品から形成され、前記重量体の嵌合孔の下端内周面は前記弾性チューブ体の環状突起に支持されるように上部に向かって先細りになることを特徴とする請求項３に記載の釣り用重り。
【請求項５】
前記重量体は、前記釣り糸に嵌まり込んだ後に前記弾性チューブ体の上部から下部に向かって移動しながら前記弾性チューブ体の外周縁と係合される係合部材と、前記釣り糸に嵌まり込んだ後に前記弾性チューブ体の下部から前記係合部材の外周縁と螺合される主重量部材と、を備えることを特徴とする請求項３に記載の釣り用重り。
【請求項６】
前記係合部材は、一方の側に前記釣り糸に嵌まり込むように第１の側面スリットが形成され、中央に前記弾性チューブ体のうち前記環状突起の上部が嵌合するように第１の嵌合孔が前記第１の側面スリットと連通するように貫設され、外周面には雄ねじ山が形成され、
前記主重量部材は、一方の側に前記釣り糸に嵌まり込むように第２の側面スリットが形成され、中央に前記弾性チューブ体のうち前記環状突起以下が嵌合するように第２の嵌合孔が前記第２の側面スリットと連通するように貫設され、前記第２の嵌入溝の上端は前記弾性チューブ体の環状突起に支持されるように下部に向かって先細りになり、前記第２の嵌入溝の内周面には前記係合部材の雄ねじ山と螺合される雌ねじ山が形成されることを特徴とする請求項５に記載の釣り用重り。
【請求項７】
前記重量体は、前記係合部材の上端外周縁と係合されるリング状の補助重量部材をさらに備え、前記リング状の補助重量部材の一方の側には前記釣り糸に嵌まり込むように第３の側面スリットが形成されることを特徴とする請求項５に記載の釣り用重り。
【請求項８】
前記弾性チューブ体は、前記釣り糸に嵌まり込むに先立って上側に環が形成されるように前記貫通孔内に逆「Ｕ」字状のワイヤー部材の下端が挿通された状態でツマミ部材に多数取り付けられ、
前記弾性チューブ体は、前記逆「Ｕ」字状のワイヤー部材によって形成された前記環に前記釣り糸を通させた状態で前記環から外れるように押されることにより前記釣り糸と結合されることを特徴とする請求項１から請求項７のいずれかに記載の釣り用重り。
【請求項９】
前記弾性チューブ体は、合成樹脂、ゴム、シリコン及びウレタンのうちのいずれか一種から製造され、前記重量体は銅または銅合金から製造されることを特徴とする請求項１から請求項７のいずれかに記載の釣り用重り。
【請求項１０】
棒状を呈し、上下部には前記釣り糸 L が結び付けられる上連結環１１１及び下連結環１１２がそれぞれ配設されており、下側の一部は外側に突設されてその境界部位に係止爪部１１３が形成されてなる支持部材１１０と、
前記支持部材１１０に嵌まり込む組付孔１２１が垂直に貫設されており、前記支持部材１１０に対して水平方向または垂直方向に組み付けられるように一方の側面から前記組付孔１２１と連絡されるように縦割溝１２２が凹設されてなる金属材質から形成されて重量を有するウェイト部材１２０と、を備えることを特徴とする釣り用重り。
【請求項１１】
前記支持部材１１０は丸棒状を呈して上端部には丸み部１１６が形成され、前記係止爪部１１３の下側は球状を呈することを特徴とする請求項１０に記載の釣り用重り。
【請求項１２】
前記支持部材１１０の上下端部に形成される上嵌込溝１１４と下嵌込溝１１５には、前記上連結環１１及び下連結環１１２の一方の端部に形成された組付ピン１１１a、１１２aが締りばめ式にて強制的に押し込まれることを特徴とする請求項１０に記載の釣り用重り。
【請求項１３】
前記ウェイト部材１２０は銅合金材質からなり、前記組付孔１２１を除く外形が球状または楕円状を呈することを特徴とする請求項１０に記載の釣り用重り。
【請求項１４】
前記ウェイト部材１２０は、異なる重さを有するものが多数設けられることを特徴とする請求項１０に記載の釣り用重り。
【請求項１５】
前記支持部材１１０と前記ウェイト部材１２０の組付孔１２１との間には微細隙間部１２３が形成される組立公差を有するように構成されることを特徴とする請求項１０に記載の釣り用重り。
【発明の詳細な説明】
【技術分野】
【０００１】
本発明は釣り用重り（錘）に係り、さらに詳しくは、釣り糸への取付け作業が迅速且つ容易に行われ、浮きのオモリ合わせに際して浮き体に対する間隔調節（目合：半目／一目）が容易に行われるだけではなく、鉛ではない環境にやさしい素材から製造されることから、重金属材質による環境汚染が全く発生しない釣り用重りに関する。
【背景技術】
【０００２】
一般に、釣り用仕掛けは、釣り竿に巻き付けられる釣り糸と、釣り糸の上に取り付けられて浮力を提供し、魚のアタリを表示する浮き体と、釣り糸の下端に取り付けられて釣り針を水中に沈下させる釣り用重りと、釣り用重りに取り付けられるハリスと、ハリスの下端に取り付けられて釣り餌が刺し込まれる釣り針などからなる。
【０００３】
魚を上手く釣り上げるためには、魚が生息する場所（通称、ポイント）の選別も重要であるが、釣り場の水深、季節、天気などの環境条件と魚種に応じて魚が水中において遊泳する位置が異なってくるため、何よりも水中に沈む釣り針の深さを適切に調節することが最も重要であるといえる。
【０００４】
水中に沈む釣り針の深さを適切に調節するためには、浮き体の種類及び釣り用重りの重さを変えたり、浮き体と釣り用重りとの間の間隔を調節して全体的に浮力を調節せねばならないが、このような浮力調節のためには、釣り用重りを切り出し、他の釣り用重りの上下に釣り糸とハリスを長さ調節を行った上で結び付け直すことを余儀なくされるため、手間がかかり、しかも、その作業が非常に煩雑であるという問題がある。
【０００５】
また、従来の釣り用重りは、主として釣り糸に固着されるため、ガン玉の重さを調節するためには、釣り糸を切ってから重さの異なるガン玉を取り付け直したり、ガン玉を削り取りながら重さを調節して水深のチェックを行っていた。
【０００６】
ところが、上記のように釣り糸を切ってからガン玉を取り替え、ガン玉を釣り糸に付け直すようなガン玉交換作業の場合に、作業が煩雑であり、しかも、釣り糸が短くなるという問題があった。
【０００７】
また、ガン玉を削り取りながらガン玉の重さを調節する場合には、鉛成分がそのまま土壌や水質に浸透して環境汚染を招いてしまうという問題があった。
【０００８】
さらに、従来の釣り用仕掛けは、ガン玉の重さが微調節しにくく、浮き体の敏感度が落ちるという問題があった。
【０００９】
最近には、上述した煩雑な問題を解決するために、釣り用重りの重量を調節することにより水中に沈む釣り針の深さを容易に調節するための方案が種々提案されている。その一例として、上側に釣り糸が結び付けられる道糸環体が形成され、下部には１本以上のハリスが結び付けられるハリス環体が形成される本体と、前記本体と一体に形成されるが、表面から選択的に脱離される重量調節部材と、からなり、前記重量調節部材によって釣り用重りの重さを調節することを特徴とする重量が調節可能な釣り用重りが提案されている（例えば、下記の特許文献１参照）。
【００１０】
また、釣り用浮き体と釣り針との間の釣り糸に結び付けて用いる釣り用重り組立体において、前記釣り用重り組立体は、外部に係合溝が凹設された胴体部と、前記胴体部尾端の係止爪と、前記胴体部及び係止爪の内部中央に沿って延設された通孔部を備えた支持枠体と、前記支持枠体の係合溝に嵌入する上固定部材と、内側中央の嵌入溝を介して前記支持枠体の胴体部の外側に嵌着され、外周面の一方の側から前記嵌入溝まで延設された嵌合孔を有する同じ直径のｎ枚の仕切板と、を備える重さが調節可能な釣り用重り組立体が開示されている（例えば、下記の特許文献２参照）。
【００１１】
しかしながら、上述した従来の釣り用重りの場合にも、上側に釣り糸が結び付けられる環体が形成され、下側にハリスが結び付けられる環体が形成される基本構成を有することにより、重量が容易に調節されるとはいえ、釣り用重りの位置を調節するためには釣り用重りを切り出し、他の釣り用重りの上下に釣り糸とハリスを長さ調節を行った上で取り付け直さなければならないという問題点は解消できなかった。
【先行技術文献】
【特許文献】
【００１２】
【特許文献１】大韓民国実用新案登録第２０−０３０４１２８号
【特許文献２】大韓民国特許登録第１０−０８２１０８５号
【発明の概要】
【発明が解決しようとする課題】
【００１３】
本発明の目的は、釣り糸への取付け作業が迅速且つ容易に行われ、浮きのオモリ合わせに際して浮き体に対する間隔調節（目合を半目／一目に調節）が容易に行われる釣り用重りを提供することである。
【００１４】
本発明の他の目的は、釣りの準備をするに当たって、釣り場の環境に合わせて、且つ、水深または魚種に応じて、水深に合う種々の重量を有する釣り用重りを、釣り糸を切ったりガン玉を削り取ることなく簡単に取り替えるように構成することにより、釣りを簡便に行うことのできる釣り用重りを提供することである。
【００１５】
本発明のさらに他の目的は、鉛ではない環境にやさしい素材から製造されることから、重金属材質による環境汚染が全く発生しない釣り用重りを提供することである。
【課題を解決するための手段】
【００１６】
上述した本発明の目的は、中央には釣り糸に長手方向に嵌まり込むように貫通孔が形成され、ユーザーによって前記釣り糸上で変位する弾性チューブ体と、一方の側には前記釣り糸に嵌まり込むように側面スリットが形成され、中央には前記弾性チューブ体が嵌合する嵌合孔が前記側面スリットと連通するように貫設される重量体と、を備える釣り用重りを提供することにより達成される。
【００１７】
本発明の好適な特徴によれば、前記重量体は、所要の重量に応じて選択・使用するように異なる重量を有するものが多数設けられる。
【００１８】
本発明の好適な特徴によれば、前記弾性チューブ体の下側外周面には、前記重量体の下降を防ぐ環状突起が突設される。
【００１９】
本発明の好適な特徴によれば、前記重量体は単一の部品から形成され、前記重量体の嵌合孔の下端内周面は前記弾性チューブ体の環状突起に支持されるように上部に向かって先細りになる。
【００２０】
本発明の好適な特徴によれば、前記重量体は、前記釣り糸に嵌まり込んだ後に前記弾性チューブ体の上部から下部に向かって移動しながら前記弾性チューブ体の外周縁と係合される係合部材と、前記釣り糸に嵌まり込んだ後に前記弾性チューブ体の下部から前記係合部材の外周縁と螺合される主重量部材と、を備える。
【００２１】
本発明の好適な特徴によれば、前記係合部材は、一方の側に前記釣り糸に嵌まり込むように第１の側面スリットが形成され、中央に前記弾性チューブ体のうち前記環状突起の上部が嵌合するように第１の嵌合孔が前記第１の側面スリットと連通するように貫設され、外周面には雄ねじ山が形成され、前記主重量部材は、一方の側に前記釣り糸に嵌まり込むように第２の側面スリットが形成され、中央に前記弾性チューブ体のうち前記環状突起以下が嵌合するように第２の嵌合孔が前記第２の側面スリットと連通するように貫設され、前記第２の嵌入溝の上端は前記弾性チューブ体の環状突起に支持されるように下部に向かって先細りになり、前記第２の嵌入溝の内周面には前記係合部材の雄ねじ山と螺合される雌ねじ山が形成される。
【００２２】
本発明の好適な特徴によれば、前記重量体は、前記係合部材の上端外周縁と係合されるリング状の補助重量部材をさらに備え、前記リング状の補助重量部材の一方の側には前記釣り糸に嵌まり込むように第３の側面スリットが形成される。
【００２３】
本発明の好適な特徴によれば、前記弾性チューブ体は、前記釣り糸に嵌まり込むに先立って上側に環が形成されるように前記貫通孔内に逆「Ｕ」字状のワイヤー部材の下端が挿通された状態でツマミ部材に多数取り付けられ、前記弾性チューブ体は、前記逆「Ｕ」字状のワイヤー部材によって形成された前記環に前記釣り糸を通させた状態で前記環から外れるように押されることにより前記釣り糸と結合される。
【００２４】
本発明の好適な特徴によれば、前記弾性チューブ体は、合成樹脂、ゴム、シリコン及びウレタンのうちのいずれか一種から製造され、前記重量体は銅または銅合金から製造される。
【００２５】
一方、本発明の他の実施形態によれば、上下部に釣り糸が結び付けられる釣り用ガン玉において、棒状を呈し、上下部には前記釣り糸が結び付けられる上連結環及び下連結環がそれぞれ配設されており、下側の一部は外側に突設されてその境界部位に係止爪部が形成されてなる支持部材と、前記支持部材に嵌まり込む組付孔が垂直に貫設されており、前記支持部材に対して水平方向または垂直方向に組み付けられるように一方の側面から前記組付孔と連絡されるように縦割溝が凹設されてなる金属材質から形成されて重量を有するウェイト部材と、を備えることを特徴とする釣り用ガン玉によって達成される。
【００２６】
本発明の好適な特徴によれば、前記支持部材は丸棒状を呈して上端部には丸み部が形成され、前記係止爪部の下側は球状を呈する。
【００２７】
本発明の好適な特徴によれば、前記支持部材の上下端部に形成される上嵌込溝と下嵌込溝には、前記上連結環及び下連結環の一方の端部に形成された組付ピンが締りばめ式にて強制的に押し込まれる。
【００２８】
本発明の好適な特徴によれば、前記ウェイト部材は銅合金材質からなり、前記組付孔を除く外形が球状または楕円状を呈する。
【００２９】
本発明の好適な特徴によれば、前記ウェイト部材は、異なる重さを有するものが多数設けられる。
【００３０】
本発明の好適な特徴によれば、前記支持部材と前記ウェイト部材の組付孔との間には微細隙間部が形成される組立公差を有するように構成される。
【発明の効果】
【００３１】
本発明に係る釣り用重りによれば、弾性チューブ体が釣り糸に嵌まり込むに先立って、上側に環が形成されるように貫通孔内に逆「Ｕ」字状のワイヤー部材の下端が挿通された状態で逆「Ｕ」字状のワイヤー部材によって形成された環に釣り糸を貫通させた後に環から外れるように弾性チューブ体を釣り糸に向かって押し付けて移動させるだけで、弾性チューブ体が釣り糸と結合されて容易に変位し、釣り糸に重量体を嵌め込んで弾性チューブ体の外周縁と係合するだけで、釣り糸上への取り付けが完了することにより、釣り用重りを取り付けてその位置を調節するに際して釣り糸を切ってから結び付け直すことなく釣り糸への取付け作業が迅速且つ容易に行われ、浮きのオモリ合わせに際して浮き体に対する間隔調節が容易に行われるという抜群の効果がある。
【００３２】
また、本発明に係る釣り用重りによれば、必要に応じて種々の重量の重量体に取り替えることができて釣り用重りの重量調節が迅速且つ容易に行われる抜群の効果があるだけではなく、鉛ではない環境にやさしい素材から製造されることから、重金属材質による環境汚染が全く発生しないという抜群の効果がある。
【図面の簡単な説明】
【００３３】
【図１】本発明の第１の実施形態に係る釣り用重りの斜視図である。
【図２】本発明に係る釣り用重りの分解斜視図である。
【図３】本発明に係る釣り用重りの断面構造図である。
【図４】本発明に係る釣り用重りにおける重量体の他の実施形態の分解斜視図である。
【図５】本発明に係る釣り用重りにおける釣り糸に対する弾性チューブ体の嵌合過程を示す図である。
【図６】本発明に係る釣り用重りにおける釣り糸に対する弾性チューブ体の嵌合過程を示す図である。
【図７】本発明に係る釣り用重りにおける釣り糸に対する弾性チューブ体の嵌合過程を示す図である。
【図８】本発明に係る釣り用重りにおける釣り糸に対する弾性チューブ体の嵌合過程を示す図である。
【図９】本発明の第２の実施形態に係る釣り用重りの斜視図である。
【図１０】図１の縦断面図である。
【図１１】本発明の他の実施形態に係る釣り用重りの取り替え方法を説明するための分解斜視図及び縦断面図である。
【図１２】本発明の他の実施形態に係る釣り用重りの取り替え方法を説明するための分解斜視図及び縦断面図である。
【図１３】（ａ）、（ｂ）及び（ｃ）は、本発明の他の実施形態に係る釣り用重りの他の取り替え方法を説明するための平断面図である。
【発明を実施するための形態】
【００３４】
以下、添付図面に基づき、本発明の好適な実施形態を詳述するが、これは、本発明が属する技術分野において通常の知識を有する者が発明を容易に実施できる程度に詳細に説明するためのものであり、これによって本発明の技術的な思想及び範疇が限定されることを意味しない。
【００３５】
＜第１の実施形態＞
本発明に係る釣り用重り１は、釣り糸３への取付け作業が迅速且つ容易に行われ、浮きのオモリ合わせに際して浮き体に対する間隔調節（目合：半目／一目）が容易に行われるだけではなく、鉛ではない環境にやさしい素材から製造されることから、重金属材質による環境汚染が全く発生しないものであり、図１乃至図８に示すように、中央には釣り糸３に長手方向に嵌まり込むように貫通孔１１が形成され、ユーザーによって釣り糸３上で変位する弾性チューブ体１０と、一方の側には釣り糸３に嵌まり込むように側面スリット２１、３１ａ、３３ａが形成され、中央には弾性チューブ体１０が嵌合するように嵌合孔２３、３１ｂ、３３ｂが側面スリット２１、３１ａ、３３ａと連通するように貫設される重量体２０、３０と、を備える。
【００３６】
ここで、弾性チューブ体１０は、本発明に係る釣り用重り１を釣り糸３上に固定するものであり、中央には釣り糸３に長手方向に挿通されるように貫通孔１１が形成され、ユーザーが釣り糸３を掴んだ状態で上方に押し上げたり下方に押し下げることにより釣り糸３上で変位するような構造を有する。
【００３７】
弾性チューブ体１０は、自体的に弾性を有する合成樹脂、ゴム、シリコン及びウレタンのうちのいずれか一種から製造されることが好ましく、弾性チューブ体１０の下側外周面には重量体２０、３０の下降を防ぐ環状突起１３が突設される。
【００３８】
弾性チューブ体１０は、その構造から、釣り糸３に直ちに取り付けることが困難であるため、弾性チューブ体１０を釣り糸３に迅速且つ容易に取り付けるためには別途の装置が必要であるが、本発明は、このために、図５乃至図８に示す逆「Ｕ」字状のワイヤー部材５とツマミ部材７を提案する。
【００３９】
弾性チューブ体１０は、釣り糸３に嵌まり込むに先立って、図５に示すように、上側に環５ａが形成されるように貫通孔１１内に逆「Ｕ」字状のワイヤー部材５の下端が挿通された状態でツマミ部材７に多数取り付けられることが好ましく、図５乃至図８に示すように、ユーザーが逆「Ｕ」字状のワイヤー部材５によって形成された環５ａに釣り糸３を貫通させた後に片手ではツマミ部材７を掴んだ状態で弾性チューブ体１０を環５ａから外れるように押し下げることにより釣り糸３と結合されるか、あるいは、ユーザーが環５ａが形成されるように貫通孔１１内に逆「Ｕ」字状のワイヤー部材５の下端が挿通された一つの弾性チューブ体１０をツマミ部材７から取り外した後に環５ａに釣り糸３を貫通させた後に片手では逆「Ｕ」字状のワイヤー部材５を掴んだ状態で弾性チューブ体１０を環５ａから外れるように押し下げることにより釣り糸３と結合される。
【００４０】
弾性チューブ体１０の外周には重量体２０、３０が外嵌するが、この重量体２０、３０は、浮き体の浮力に対応する重量のものが釣り糸の下端に取り付けられて釣り針を水中に沈めるものであり、ユーザーによって所要の重量に応じて選択・使用されるように異なる重量を有するものが多数設けられることが好ましい。
【００４１】
図１乃至図３に示すように、重量体２０は、釣り糸３に嵌まり込むように一方の側に側面スリット２１が形成され、中央には弾性チューブ体１０が嵌合するように嵌合孔２３が側面スリット２１と連通するように貫設される単一の部品から形成されてもよいが、この場合に、重量体２０の嵌合孔２１の下端内周面は弾性チューブ体１０の環状突起１３に支持されるように上部に向かって先細りになるように形成される。
【００４２】
図４に示すように、重量体３０は多数の部品、すなわち、釣り糸３に嵌まり込んだ後に弾性チューブ体１０の上部から下部に向かって移動しながら弾性チューブ体１０の外周縁と係合される係合部材３１と、釣り糸３１に嵌まり込んだ後に弾性チューブ体１０の下部から係合部材３１の外周縁と螺合される主重量部材３３と、を備えていてもよい。
【００４３】
係合部材３１は、弾性チューブ体１０の上部から弾性チューブ体１０に最初に取り付けられる部品であり、一方の側には釣り糸３に嵌まり込むように第１の側面スリット３１ａが形成され、中央には弾性チューブ体１０のうち環状突起１３の上部が嵌合するように第１の嵌合孔３１ｂが第１の側面スリット３１ａと連通するように貫設され、下側外周面には主重量部材３３の螺合のための雄ねじ山３１ｃが形成される。
【００４４】
主重量部材３３は、弾性チューブ体１０の下部から係合部材３１と螺合されることにより、重量体３０を弾性チューブ体１０に完全に係合させると共に、重量体３０に必要なほとんどの重量を提供するものであり、一方の側には釣り糸３に嵌まり込むように第２の側面スリット３３ａが形成され、中央には弾性チューブ体１０のうち環状突起１３以下が嵌合するように第２の嵌合孔３３ｂが第２の側面スリット３３ａと連通するように貫設される。特に、第２の嵌入溝３３ｂの上端は弾性チューブ体１０の環状突起１３に支持されるように下部に向かって先細りになり、第２の嵌入溝３３ｂの内周面には係合部材３１の雄ねじ山３１ｃと螺合される雌ねじ山３３ｃが形成される。
【００４５】
主重量部材３３は、ユーザーによって所要の重量に応じて選択・使用されるように異なる重量を有するものが多数設けられることが好ましい。
【００４６】
重量体３０は、係合部材３１の上端外周縁と係合されるリング状の補助重量部材３５をさらに備えることが好ましいが、このリング状の補助重量部材３５は、主重量部材３３を取り替えることなく重量体３０の重量を増大させることにより、重量調節をより容易に行うためのものであり、リング状の補助重量部材３５の一方の側には釣り糸３に嵌まり込むように第３の側面スリット３５ａが形成される。
【００４７】
重量体２０、３０は重金属材質による環境汚染が全く発生しない鉛などの有害重金属ではなく、銅または銅合金から製造されることが好ましい。
【００４８】
このため、本発明に係る釣り用重り１の場合には、図５に示すように、弾性チューブ体１０が釣り糸３に嵌まり込むに先立って上側に環５ａが形成されるように貫通孔１１内に逆「Ｕ」字状のワイヤー部材５の下端が挿通された状態で、図６に示すように、逆「Ｕ」字状のワイヤー部材５によって形成された環５ａに釣り糸５を貫通させた後、図７に示すように、環５ａから外れるように弾性チューブ体１０を釣り糸５に向かって押し付けて移動させるだけで、弾性チューブ体１０が釣り糸５と結合可能であり、弾性チューブ体１０は上側または下側に押し付けて釣り糸５上で容易に変位させることができ、釣り糸３に重量体２０、３０を嵌め込んで弾性チューブ体１０の外周縁と係合させるだけで、釣り糸上への取り付けが完了することにより、本発明に係る釣り用重り１を釣り糸３に結び付け、その位置を調節するに際して釣り糸３を切ってから結び付け直すことなく釣り糸３への取付け作業が迅速且つ容易に行われ、浮きのオモリ合わせに際して浮き体に対する間隔調節が容易に行われる。
【００４９】
また、重量を調節しようとする場合には、弾性チューブ体１０はそのままにしておいた状態で、他の重量を有する重量体２０、３０に迅速且つ容易に嵌め替えることができるので、釣り用重りへの取り替えのために釣り糸３を切ってから結び付け直すことなく釣り糸３への取付け作業が迅速且つ容易に行われる。
【００５０】
さらに、本発明に係る釣り用重り１の場合には、弾性チューブ体１０が合成樹脂、ゴム、シリコン及びウレタンのうちのいずれか一種から製造され、重量体２０、３０は銅または銅合金から製造されることにより、鉛などの重金属材質による環境汚染が全く発生しない。
【００５１】
＜第２の実施形態＞
図９は、本発明の第２の実施形態に係る釣り用重りの斜視図であり、図１０は、図１の縦断面図であり、図１１及び図１２は、本発明の他の実施形態に係る釣り用重りの取り替え方法を説明するための分解斜視図及び縦断面図であり、図１３（ａ）、図１３（ｂ）及び図１３（ｃ）は、本発明の他の実施形態に係る釣り用重りの他の取り替え方法を説明するための平断面図である。
【００５２】
まず、図９乃至図１２に示すように、本発明に係る釣り用重り１００は、釣り糸３に固定される支持部材１１０と、この支持部材１１０に／から取り付け／取り外し可能なウェイト部材１２０と、を備える。
【００５３】
本発明の他の特徴によれば、前記支持部材１１０は、上下部が前記釣り糸３に固定される構成を有し、細径の棒状を呈し、上下部には前記釣り糸３を結び付けるための金属材質からなる上連結環１１１と下連結環１１２がそれぞれ設けられている。
【００５４】
上連結環１１１と下連結環１１２は釣り糸３が嵌まり込み易い内径を有し、その外径は前記支持部材１１０の直径と同径に、またはそれよりも小径に形成されることが好ましい。
【００５５】
そして、支持部材１１０の下側の一部は外側に突設されてその境界部位に係止爪部１１３が形成される。
【００５６】
このため、前記ウェイト部材１２０が支持部材１１０と組み合わせられた後、前記係止爪部１１３に引っ掛かって載置される。
【００５７】
本発明の他の特徴によれば、前記支持部材１１０の上端部には、前記ウェイト部材１２０を上側から嵌め込むときに後述する組付孔１２１との係合が容易に行われるように丸み部１１６が形成され、前記係止爪部１１３の下側はその外径が前記支持部材１１０の外径よりも大径を有する球状を呈することにより、前記係止爪部１１３が形成されるように構成される。
【００５８】
このような構成を有する支持部材１１０は円棒状に加えて多角形状を呈してもよいことはいうまでもなく、支持部材１１０の下端部の形状も球状に加えて係止爪部１１３が形成される円筒状または多角状などの他の形状を呈してもよいことはいうまでもない。
【００５９】
また、前記ウェイト部材１２０は前記支持部材１１０に垂直方向または水平方向に嵌まり込むように構成される。
【００６０】
すなわち、ウェイト部材１２０は略球状または楕円状を呈し、その中央には前記釣り糸３または前記支持部材１１０の外側に嵌まり込むための組付孔１２１が垂直に貫設されている。
【００６１】
そして、前記支持部材１１０の外面には一方の側面から前記組付孔１２１と連絡されるように縦割溝１２２が凹設される。
【００６２】
前記縦割溝１２２は、前記組付孔１２１の内径よりもその間隔が小さく形成されて、支持部材１１０が組み付けられた後に縦割溝１２２から外れないように構成される。
【００６３】
好ましくは、本発明の実施形態においては、前記縦割溝１２２の間隔は、垂直方向に嵌まり込むように構成する場合に、釣り糸３が通過できる程度に狭く形成されて、図１２に示すように、釣り糸３に側方に嵌まり込んだ後に、垂直方向に支持部材１１０の丸み部１１６を介して容易に組み立てられるように構成してもよい。
【００６４】
あるいは、前記支持部材１１０の外径よりもやや小さな間隔にて形成されて、図１３に示すように、支持部材１１０に水平方向に直接的に嵌まり込み、縦割溝１２２が拡開されながら組み付けられるように構成してもよく、この詳細については後述する。
【００６５】
このように、本発明のガン玉１００は、支持部材１１０が釣り糸３に上連結環１１１と下連結環１１２によって固着された状態で、ウェイト部材１２０を支持部材１１０から容易に取り替えるように構成されたものである。
【００６６】
このような構成を有する支持部材１１０をウェイト部材１２０から取り外す方法としては、前記ウェイト部材１２０を釣り糸３まで上側に持ち上げた後に側方向に取り外す方法があり、取り付けは上記の逆順に従って行われる。
【００６７】
一方、本発明のさらに他の特徴によれば、前記支持部材１１０とウェイト部材１２０の組付孔１２１との間には微細隙間部１２３が形成される組立公差を有するように構成される。
【００６８】
このような微細隙間部１２３は、ウェイト部材１２０を支持部材１１０に組み付ける過程で組立公差が小さく形成されれば、ウェイト部材１２０を支持部材１１０に嵌め込んだり取り外したりすることが不便になる虞がある。
【００６９】
これにより、その嵌合公差を適切に維持することにより、組付け時には容易に嵌まり込み、組付け後にはウェイト部材１２０が支持部材１１０に対してあまりにも緩んだ状態にならないようにして、組み付けられた後には上下に遊動しない組立公差を維持することが好ましい。
【００７０】
参考までに、支持部材１１０は、旋盤加工によって製造可能であるため、そのウェイト部材１２０の組付孔１２１との嵌合公差が管理できるように製造することができる。
【００７１】
また、支持部材１１０は、上端部には丸み部１１６が形成されているため、ウェイト部材１２０の組付孔１２１の下端に別途の面取り部（図示せず）などが形成されていなくても、組み付けに際して丸み部１１６によって容易に組み付け可能になる。
【００７２】
さらに、本発明のさらに他の特徴によれば、前記ウェイト部材１２０は金属材質からなるが、環境汚染を予防するために、従来のように鉛から製造されるわけではなく、銅または銅合金材質から製造され、その外形は前記組付孔１２１を除く残りの部分が球状または楕円球状を呈するように構成される。
【００７３】
このようなウェイト部材１２０は、本発明のさらに他の特徴によれば、異なる重さを有するものが多数設けられて構成され、重量は、多用される重量値を基準として多数設けられることが好ましい。
【００７４】
このように、本発明に係るウェイト部材１２０は、重さを水深及び魚種に応じて重量値を異ならせて多種多様に構成されるので、それぞれの重量に応じて支持部材１１０から簡単に取り外した後に、水深や魚種を考慮して最適なウェイト部材１２０を支持部材１１０に取り替えながら随時水深チェックを行いながら釣りを準備することが可能になる。
【００７５】
このため、本発明の釣り用重り１００は、重量調節方式が従来に比べて非常に簡単になるため、釣りを準備するに当たっての迅速化または高精細度化を図ることができて、釣りの準備に対する負担が著しく減り、その結果、楽な釣りを楽しむことが可能になる。
【００７６】
一方、前記支持部材１１０の上下端部には上嵌込溝１１４と下嵌込溝１１５が凹設され、前記上連結環１１１及び下連結環１１２の一方の端部には組付ピン１１１ａ、１１２ａが形成されて、上嵌込溝１１４と下嵌込溝１１５に締りばめ式にて強制的に押し込まれる。
【００７７】
上連結環１１１及び下連結環１１２は金属材質からなり、細径の金属ワイヤーを曲げ成形してなる。
【００７８】
このため、上述したように、旋盤加工によって製造される本発明の支持部材１１０の上下端部に連結環１１１、１１２を形成するために、上嵌込溝１１４と下嵌込溝１１５の直径が前記上連結環１１１及び下連結環１１２の組付ピン１１１ａ、１１２ａの外径に対して締りばめ公差を維持するように加工する。
【００７９】
このため、組付ピン１１１ａ、１１２ａを上嵌込溝１１４と下嵌込溝１１５に締りばめ式にて自動的または半自動的に組み付けることにより、連続的に量産可能になり、これは、ガン玉１００の製品全体の製造コストの削減につながる。
【００８０】
そして、組付ピン１１１ａ、１１２ａを支持部材１１０に締りばめ式にて組み付ける構成によれば、上下の連結環１１１、１１２が破損される場合にも連結環１１１、１１２のみを強制的に取り外して取り替えることができるので、支持部材１１０を持続的に再使用することができるというメリットがある。
【００８１】
以下、このような構成を有する本発明の釣り用重り１００の使用例について説明する。
【００８２】
釣りを準備するために、支持部材１１０の下連結環１１２に釣り針（図示せず）が結び付けられた下部の釣り糸３を結び付ける。
【００８３】
そして、上連結環１１１には釣り竿（図示せず）に結び付けられた上部の釣り糸３が結び付けられ、また、浮き体（図示せず）も結び付けられる。
【００８４】
この後、本発明に係る釣り用重り１００が適正な深さで水中に沈むように適切な重量のウェイト部材１２０を選択して支持部材１１０に上側の釣り糸３に縦割溝１２２を介して嵌め込む。
【００８５】
次に、前記ウェイト部材１２０を下降させ、前記支持部材１１０と組付孔１２１を組み合わせた後、水中に投げて水深チェックを行う。
【００８６】
ここで、水深チェックが適切に行われていない場合には、他の重量を有するウェイト部材１２０を支持部材１１０から取り替えながら水深チェックを精度よく行うことができる。
【００８７】
また、ウェイト部材１２０及び支持部材１１０は他の方法によって組み合わせられてもよいが、図５に示すように、ウェイト部材１２０を支持部材１１０の側方に組付け可能に構成されたものである。
【００８８】
すなわち、ウェイト部材１２０の一方の側に凹設された縦割溝１２２を支持部材１１０の側面に位置させた状態で押すと、支持部材１１０の丸い側面が縦割溝１２２の間に入り込んで縦割溝１２２が外側に拡開され、支持部材１１０が組付孔１２１に嵌着されるのである。
【００８９】
このため、組付孔１２１に支持部材１１０が嵌着されると、ウェイト部材１２０はその材質に応じて、すなわち、ウェイト部材１２０が弾性の金属材質からなる場合には縦割溝１２２が元の状態に戻って支持部材１１０とウェイト部材１２０は組み合わせられた状態を維持することになる。
【００９０】
もし、ウェイト部材１２０が無弾性で且つ軟質の金属材質からなる場合には、縦割溝１２２がやや拡開された状態であるため、手で軽く押し付けると、縦割溝１２２が縮まって支持部材１１０が外れない状態となり、上下に遊動しない。
【００９１】
このように、ウェイト部材１２０が無弾性で且つ軟質の金属材質からなる場合には、上記の方式により支持部材１１０と組み合わせることができ、取り外しに際しては縦割溝１２２をやや拡開した後にウェイト部材１２０を一方の側方向に取り外したり、やや拡開した状態で上側に移動させて釣り糸３の位置において縦割溝１２２を介して一方の側方向に手軽に取り外すことが可能になる。
【００９２】
たとえ本発明が上述した好適な実施形態と結び付けられて説明されたが、発明の要旨と範囲から逸脱されることなく種々の修正及び変形が可能であるということは、当業者であれば容易に認識できる筈であり、このような変更及び修正はいずれも添付の特許請求の範囲に属するということはいうまでもない。
【符号の説明】
【００９３】
１、１００  釣り用重り
３  釣り糸
５  逆「Ｕ」字状のワイヤー部材
７  ツマミ部材
１０  弾性チューブ体
１１  貫通孔
１３  環状突起
２０、３０  重量体
２１  側面スリット
２３  嵌合孔
３１  係合部材
３３  主重量部材
３５  補助重量調節部材
１１０  支持部材
１１１  上連結環
１１２  下連結環
１１３  係止爪部
１１４  上嵌込溝
１１５  下嵌込溝
１１６  丸み部
１２０  ウェイト部材
１２１  組付孔
１２２  縦割溝
１２３  微細隙間部
【図１】
2014100089.tif 000003
【図２】
2014100089.tif 000004
【図３】
2014100089.tif 000005
【図４】
2014100089.tif 000006
【図５】
2014100089.tif 000007
【図６】
2014100089.tif 000008
【図７】
2014100089.tif 000009
【図８】
2014100089.tif 000010
【図９】
2014100089.tif 000011
【図１０】
2014100089.tif 000012
【図１１】
2014100089.tif 000013
【図１２】
2014100089.tif 000014
【図１３】
2014100089.tif 000015
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
中央には釣り糸に長手方向に嵌まり込むように貫通孔が形成され、ユーザーによって前記釣り糸上で変位し、下側外周面には環状突起が突設され、合成樹脂、ゴム、シリコン及びウレタンのうちのいずれか一種から製造される弾性チューブ体と、
銅または銅合金から製造される重量体と、を備え、
前記重量体は、その一方の側には前記釣り糸に嵌まり込むように側面スリットが形成され、中央には前記弾性チューブ体が嵌合する嵌合孔が前記側面スリットと連通するように貫設され、前記嵌合孔の下端内周面は前記弾性チューブ体の前記環状突起に支持されるように上部に向かって先細りになる、ことを特徴とする釣り用重り。
【請求項２】
前記重量体は、所要の重量に応じて選択・使用するように異なる重量を有するものが多数設けられることを特徴とする請求項１に記載の釣り用重り。
【請求項３】
前記重量体は、単一の部品から形成されることを特徴とする請求項１に記載の釣り用重り。
【請求項４】
前記重量体は、前記釣り糸に嵌まり込んだ後に前記弾性チューブ体の上部から下部に向かって移動しながら前記弾性チューブ体の外周縁と係合される係合部材と、前記釣り糸に嵌まり込んだ後に前記弾性チューブ体の下部から前記係合部材の外周縁と螺合される主重量部材と、を備えることを特徴とする請求項１に記載の釣り用重り。
【請求項５】
前記係合部材は、一方の側に前記釣り糸に嵌まり込むように第１の側面スリットが形成され、中央に前記弾性チューブ体のうち前記環状突起の上部が嵌合するように第１の嵌合孔が前記第１の側面スリットと連通するように貫設され、外周面には雄ねじ山が形成され、
前記主重量部材は、一方の側に前記釣り糸に嵌まり込むように第２の側面スリットが形成され、中央に前記弾性チューブ体のうち前記環状突起以下が嵌合するように第２の嵌合孔が前記第２の側面スリットと連通するように貫設され、前記第２の嵌入溝の上端は前記弾性チューブ体の環状突起に支持されるように下部に向かって先細りになり、前記第２の嵌入溝の内周面には前記係合部材の雄ねじ山と螺合される雌ねじ山が形成されることを特徴とする請求項４に記載の釣り用重り。
【請求項６】
前記重量体は、前記係合部材の上端外周縁と係合されるリング状の補助重量部材をさらに備え、前記リング状の補助重量部材の一方の側には前記釣り糸に嵌まり込むように第３の側面スリットが形成されることを特徴とする請求項４に記載の釣り用重り。
【請求項７】
前記弾性チューブ体は、前記釣り糸に嵌まり込むに先立って上側に環が形成されるように前記貫通孔内に逆「Ｕ」字状のワイヤー部材の下端が挿通された状態でツマミ部材に多数取り付けられ、
前記弾性チューブ体は、前記逆「Ｕ」字状のワイヤー部材によって形成された前記環に前記釣り糸を通させた状態で前記環から外れるように押されることにより前記釣り糸と結合されることを特徴とする請求項１乃至６のいずれかに記載の釣り用重り。
【手続補正２】
【補正対象書類名】明細書
【補正対象項目名】００１６
【補正方法】変更
【補正の内容】
【００１６】
上述した本発明の目的は、中央には釣り糸に長手方向に嵌まり込むように貫通孔が形成され、ユーザーによって前記釣り糸上で変位し、下側外周面には環状突起が突設され、合成樹脂、ゴム、シリコン及びウレタンのうちのいずれか一種から製造される弾性チューブ体と、銅または銅合金から製造される重量体と、を備え、前記重量体は、その一方の側には前記釣り糸に嵌まり込むように側面スリットが形成され、中央には前記弾性チューブ体が嵌合する嵌合孔が前記側面スリットと連通するように貫設され、前記嵌合孔の下端内周面は前記弾性チューブ体の前記環状突起に支持されるように上部に向かって先細りになる釣り用重りを提供することにより達成される。